(57)【要約】【課題】ねじれ力調整装置と衝撃装置を兼ね備え、部品の数と体積を減少できる電動工具を提供する。【解決手段】電動モーターおよび伝動歯車セットが中に装着されているハウジング１０を有する。ねじれ力制御装置３０は、基台３１、回転盤３２および第一回転つまみ３３を有する。基台３１は伝動歯車セットに連結され、回転盤３２は出力軸２１の回転に基づいて回転し、第一回転つまみ３３はハウジング１０上に装着されている。衝撃装置４０は、スイッチ４１と第二回転つまみ４２とを有し、スイッチ４１はハウジング１０内に装着され、第二回転つまみ４２はハウジング１０上に装着されている。固定装置５０は、固定座５１と固定ユニット５２とを有し、固定座５１は基台３１上に固定され、固定ユニット５２は二つの分離する基部５２１と互いに平行して二つの基部５２１の間に跨る弾性部５２２とを有する。【選択図】図１
0003138168.tif 000002
【実用新案登録請求の範囲】
【請求項１】
ハウジングと、
ハウジング中に装着され、回転運動を提供可能な電動モーターと、
電動モーターの駆動力を伝達可能にハウジング中に装着され、電動モーターから出力される回転運動を所定の回転数に減速し、出力軸を介して出力可能である伝動歯車セットと、
基台、回転盤および第一回転つまみを有し、基台は伝動歯車セットに連結され、ハウジング内に設けられ、回転盤は出力軸の回転に従って回転し、出力軸の軸方向に沿って移動可能に基台上に装着され、軸方向に沿って移動することにより出力軸から出力される最大ねじれ力を調整可能であり、第一回転つまみは出力軸の回転に従って回転可能にハウジング上に装着され、回転盤に接続されており、回転盤は第一回転つまみの回転に伴って回転可能であり、第一回転つまみは内周壁面と内周壁面に沿って配置されている第一陥凹部とを有するねじれ力制御装置と、
スイッチと第二回転つまみとを有し、スイッチは出力軸の回転中心に基づいて往復運動可能にハウジング内に装着され、往復運動によって出力軸上に生じる衝撃運動を起動または停止可能であり、第二回転つまみは出力軸の回転に従って回転可能にハウジング上に装着され、スイッチに接続されており、スイッチは第二回転つまみの回転に伴って回転可能であり、第二回転つまみは内周壁面と内周壁面に沿って配置されている第二陥凹部とを有する衝撃装置と、
固定座と固定ユニットとを有し、固定座はねじれ力制御装置の基台上に固定され、固定ユニットは二つの分離する基部と互いに平行して二つの基部の間に跨る弾性部とを有し、弾性部は突出部を有し、固定ユニットの基部は固定座上に接続し、二つの弾性部は第一回転つまみ、第二回転つまみの内周壁面に別々に向かい合い、二つの弾性部の突出部は第一陥凹部、第二陥凹部のうちの一つに別々に突き当たるように設けられ、第一回転つまみまたは第二回転つまみを回転させる場合、二つの弾性部の突出部が互いに対応する位置上の第一陥凹部、第二陥凹部内に別々に突き当たる固定装置と、
を備えることを特徴とする電動工具。
【請求項２】
ハウジング上に分離可能に装着され、電動モーターに電源を供給する電池セットを備えることを特徴とする請求項１に記載の電動工具。
【請求項３】
ハウジングはＣ型リングを有し、基台は環状溝を有し、Ｃ型リングは第一回転つまみと第二回転つまみの軸方向移動を防止可能に環状溝に嵌合されていることを特徴とする請求項１に記載の電動工具。
【請求項４】
回転盤は外周面に軸方向の嵌合溝を有し、第一回転つまみは内周壁面に回転盤の嵌合溝に対応するリブを有し、リブは嵌合溝中に嵌め込まれ、回転盤は嵌合溝からリブに沿って第一回転つまみに対する軸方向移動が可能であることを特徴とする請求項１に記載の電動工具。
【請求項５】
第二回転つまみはスイッチの外郭の形に対応して軸心に位置する連動孔を有し、スイッチは連動孔中に嵌め込まれるため、出力軸の回転中心に基づいて第二回転つまみを回転させ、連動孔の孔壁を介してスイッチを連動回転させることが可能であることを特徴とする請求項１に記載の電動工具。
【請求項６】
第二回転つまみは連動孔の周辺に形成される少なくとも一つの装着孔を有し、基台が装着孔中に入り込んで装着孔の孔壁と基台との間に隙間が設けられ、第二回転つまみの回転に伴ってスイッチが回転しても基台との間に干渉が生じないことを特徴とする請求項５に記載の電動工具。
【請求項７】
固定座は軸心位置において基台の外郭の形に対応する固定孔を有し、固定座は第一回転つまみと第二回転つまみとの間に装着され、基台は固定孔中に装着され、固定座と基台とを接続固定可能であることを特徴とする請求項１に記載の電動工具。
【請求項８】
固定座は外周面に所定の間隔を置いて形成される二つのスリットを有し、固定ユニットの二つの基部は固定座の二つのスリット中に差し込まれていることを特徴とする請求項１に記載の電動工具。
【考案の詳細な説明】
【技術分野】
【０００１】
本考案は、電動工具に関し、詳しくはねじれ力を調整する機能と、工作対象物に衝撃を与える機能とを有する電動工具に関する。
【背景技術】
【０００２】
従来、電動インパクトレンチは、電動モーター、変速歯車セットおよび衝撃装置を備える。変速歯車セットは、モーターの伝動による回転運動を所定の回転速度に減速し出力する。衝撃装置は、電動工具の送出軸から出力されるねじれ力が抵抗力より低い場合、送出軸の回転方向と同じ急速間歇衝撃力を送出軸に与え、送出軸に抵抗力を克服させ、動作を継続させる。
【０００３】
また、従来の電動ドライバーは、電動モーター、変速歯車セットおよびねじれ力調整装置を備える。変速歯車セットは、モーターの伝動による回転運動を所定の回転速度に減速し出力する。ねじれ力調整装置は、電動工具が出力する最大ねじれ力を設定することにより、工作対象物に損傷を与えることを防止することが可能である。
【０００４】
前記ねじれ力制御装置と前記衝撃装置は、別々の需要に適用される。通常この二つの装置を同一電動工具に設けないことが一般的であるが、この二つの装置が同時に求められる状況が全くないとは必ずしも言い切れない。例えば、タイヤを外す場合、錆びたタイヤのボルトを緩めるか、或いは、別の解体の障害を克服するために、電動レンチには衝撃機能が必要である。タイヤを装着する場合、電動工具が出力したねじれ力が大きすぎることによりタイヤを固定するボルトを損壊させることを防止するために、電動工具にはねじれ力設定機能が必要である。しかし、この二種の装置を同一電動工具に統合すると、部品の数を増加させ、体積を増大させてしまう欠点を招く。
【考案の開示】
【考案が解決しようとする課題】
【０００５】
本考案の主な目的は、ねじれ力調整装置と衝撃装置を兼ね備える電動工具を提供することであり、ねじれ力調整装置と衝撃装置は一部の部品を共用するため、部品の数と体積を減少させることが可能である。
【課題を解決するための手段】
【０００６】
上述の目的を達成するために、本考案による電動工具は、ハウジング、電動モーター、伝動歯車セット、ねじれ力制御装置、衝撃装置および固定装置を備える。
電動モーターは、回転運動を提供するためにハウジング中に装着される。
伝動歯車セットは、電動モーターに伝動接続可能にハウジング中に装着され、かつ電動モーターから出力される回転運動を所定の回転数に減速し、出力軸を介して出力することが可能である。
【０００７】
ねじれ力制御装置は、基台、回転盤および第一回転つまみを有する。基台は、伝動歯車セットに連結され、かつハウジング内に位置付けられる。回転盤は、出力軸の回転中心に基づいて回転し、出力軸の軸方向に沿って移動することが可能なように基台上に装着され、かつ軸方向に沿って移動することにより、出力軸から出力される最大ねじれ力を調整することが可能である。第一回転つまみは、出力軸の回転中心に基づいて回転可能なようにハウジング上に装着され、かつ回転盤に接続されるため、回転盤は第一回転つまみの回転に伴って回転することが可能である。また、第一回転つまみは、内周壁面と、内周壁面に沿って配置される若干の第一陥凹部とを有する。
【０００８】
衝撃装置は、スイッチと、第二回転つまみとを有する。スイッチは出力軸の回転中心に基づいて往復運動可能なようにハウジング内に装着され、かつ往復運動によって出力軸上に生じる衝撃運動を起動または停止することが可能であり、第二回転つまみは出力軸の回転中心に基づいて回転可能なようにハウジング上に装着され、かつスイッチに接続されるため、スイッチは第二回転つまみの回転に伴って回転することが可能である。また、第二回転つまみは、内周壁面と、内周壁面に沿って配置される若干の第二陥凹部とを有する。
【０００９】
固定装置は、固定座と固定ユニットを有し、固定座は、ねじれ力制御装置の基台上に固定され、固定ユニットは二つの分離する基部と、互いに平行して二つの基部の間に跨る弾性部とを有し、弾性部は突出部を有する。また、固定ユニットの基部は固定座上に接続され、二つの弾性部は第一回転つまみと第二回転つまみの内周壁面に別々に向かい合い、二つの弾性部の突出部は第一陥凹部と第二陥凹部のうちの一つに別々に突き当たるように設けられる。これにより、第一回転つまみまたは第二回転つまみを回転させる場合、二つの弾性部の突出部は互いに対応する位置上の第一陥凹部、第二陥凹部内に別々に突き当たる。
【考案を実施するための最良の形態】
【００１０】
以下本考案の実施例を図面に基づいて説明する。
（一実施例）
本考案の一実施例による電動工具を図１から図４に示す。電動工具１００は、ハウジング１０、電動モーター（図中表示せず）、電池セット（図中表示せず）、伝動歯車セット（図中表示せず）、ねじれ力制御装置３０、衝撃装置４０および固定装置５０を備える。
【００１１】
ハウジング１０は、第一半ハウジング１１、第二半ハウジング１２、ワッシャ１３およびＣ型リング１４を有する。第一半ハウジング１１と第二半ハウジング１２は、互いに継ぎ合わせるように設けられる。
電動モーターは、回転運動を提供するために、ハウジング１０中に装着される。
電池セットは、電動モーターに電源を提供するために、分離可能なようにハウジング１０上に装着される。
【００１２】
伝動歯車セットは、電動モーターの駆動力を伝達可能にハウジング１０中に装着され、かつ電動モーターから出力される回転運動を所定の回転数に減速し、出力軸２１を介して出力することが可能である。
ねじれ力制御装置３０は、基台３１、回転盤３２および第一回転つまみ３３を有する。基台３１は、ハウジング１０内に位置付けられ、かつ伝動歯車セットに連結される。
【００１３】
回転盤３２は、出力軸２１の軸方向に沿って移動可能に基台３１上に装着される。また、回転盤３２は、出力軸２１の回転に基づいて回転可能であるため、回転盤３２の軸方向移動により、出力軸２１から出力される最大ねじれ力を調整することが可能となる。また、基台３１は、外周面に環状溝３１１を有する。回転盤３２は、外周面に数多くの軸方向の嵌合溝３２１を有する。
【００１４】
第一回転つまみ３３は、ハウジング１０上に装着され、かつ出力軸２１の回転に基づいて回転可能である。また、第一回転つまみ３３は、内周壁面と内周壁面から延伸されるストッパー３３１とを有し、ストッパー３３１は一側の内周壁面に回転盤３２の嵌合溝３２１に対応する数多くのリブ３３２を有し、リブ３３２は軸方向に沿って嵌合溝３２１中に嵌め込まれるため、回転盤３２は嵌合溝３２１からリブ３３２に沿って第一回転つまみ３３に対する軸方向移動を行い、第一回転つまみ３３を回転させると同時に、それ自身も回転することが可能である。また、ストッパー３３１は、他側の内周壁面に環状に分布する若干の第一陥凹部３３３を有する。
【００１５】
衝撃装置４０は、スイッチ４１と第二回転つまみ４２とを有する。スイッチ４１は、出力軸２１の回転に基づいて往復運動可能なようにハウジング１０内に装着され、かつ往復運動により出力軸２１上に生じる衝撃運動を起動または停止することが可能である。
【００１６】
第二回転つまみ４２は、スイッチ４１の外郭の形に対応して軸心に位置する連動孔４２１と連動孔４２１の周辺に位置する装着孔４２２とを有する。また、第二回転つまみ４２はハウジング１０上に装着され、スイッチ４１は連動孔４２１中に嵌め込まれるため、出力軸２１の回転に基づいて第二回転つまみ４２を回転させ、連動孔４２１の孔壁を介してスイッチ４１を連動回転させる場合、ねじれ力制御装置３０の基台３１は装着孔４２２中に入り込むことが可能である。
【００１７】
また、装着孔４２２の直径は基台３１の外郭より大きく、基台３１と装着孔４２２の孔壁の間に隙間が生じるため、第二回転つまみ４２の回転に伴ってスイッチ４１が回転しても、基台３１が回転したり、基台３１との間に干渉が生じたりするような現象は起こらない。
【００１８】
また、第二回転つまみ４２は、内周壁面と、内周壁面に沿って環状に形成される若干の第二陥凹部４２３とを有する。また、ハウジング１０のＣ型リング１４は基台３１の環状溝３１１に嵌合され、ワッシャ１３は第二回転つまみ４２の外側端面とＣ型リング１４の間に挟まれるため、Ｃ型リング１４により第一回転つまみ３３、第二回転つまみ４２の軸方向運動を制限することが可能である。
【００１９】
固定装置５０は、固定座５１と固定ユニット５２とを有する。
固定座５１は、軸心位置において基台３１の外郭の形に対応する固定孔５１１を有する。また、固定座５１は第一回転つまみ３３と第二回転つまみ４２の間に装着され、基台３１は固定孔５１１中に装着されるため、固定座５１と基台３１を接続固定することが可能である。また、固定座５１は、外周面に所定の間隔を置いて形成される二つのスリット５１２を有する。
【００２０】
固定ユニット５２は、二つの分離する基部５２１と互いに平行して二つの基部５２１の間に跨る弾性部５２２とを有し、弾性部５２２は第一突出部５２３と第二突出部５２４を有する。
また、固定ユニット５２の基部５２１は固定座５１の二つのスリット５１２中に差し込まれ、二つの弾性部５２２は第一回転つまみ３３、第二回転つまみ４２の内周壁面に別々に向かい合い、かつ二つの弾性部５２２上の第一突出部５２３、第二突出部５２４は第一陥凹部３３３、第二陥凹部４２３のうちの一つに別々に突き当たるように設けられる。
【００２１】
これにより、第一回転つまみ３３または第二回転つまみ４２を回転させる場合、二つの弾性部５２２の第一突出部５２３、第二突出部５２４は互いに対応する位置上の第一陥凹部３３３、第二陥凹部４２３内に別々に突き当たることにより、ねじれ力の出力値の制御調整と衝撃運動の起動または停止を達成することが可能である。
【００２２】
上述の通り、本実施例による電動工具は、ねじれ力制御装置と衝撃装置がそれぞれ持っているねじれ力制御機能と衝撃機能を兼ね備えることが可能なだけでなく、ねじれ力制御装置と衝撃装置が固定装置を共用するため、必要な部品と体積を減少させることが可能である。
【図面の簡単な説明】
【００２３】
【図１】本考案の一実施例による電動工具を示す斜視図である。
【図２】本考案の一実施例による電動工具を示す側面図である。
【図３】図２を３−３線で切断した断面図である。
【図４】図２を４−４線で切断した断面図である。
【符号の説明】
【００２４】
１０：ハウジング、１１：第一半ハウジング、１２：第二半ハウジング、１３：ワッシャ、１４：Ｃ型リング、２１：出力軸、３０：ねじれ力制御装置、３１：基台、３２：回転盤、３３：第一回転つまみ、４０：衝撃装置、４１：スイッチ、４２：第二回転つまみ、５０：固定装置、５１：固定座、５２：固定ユニット、１００：電動工具、３１１：環状溝、３２１：嵌合溝、３３１：ストッパー、３３２：リブ、３３３：第一陥凹部、４２１：連動孔、４２２：装着孔、４２３：第二陥凹部、５１１：固定孔、５１２：スリット、５２１：基部、５２２：弾性部、５２３：第一突出部、５２４：第二突出部
【図１】
0003138168.tif 000003
【図２】
0003138168.tif 000004
【図３】
0003138168.tif 000005
【図４】
0003138168.tif 000006